(57)【要約】      （修正有）【課題】感応装置の生産をモジュール化でき、感応装置の生産率を高め、取り付けと修理の便利性を高めた一種の外接式感応装置を提供する。【解決手段】外接式感応装置の包含するセンサは着脱交換できる外接構造とされ、該外接式感応装置は少なくとも、電源を具えたベース、該ベース上の、複数の接続端子を具えた挿入ポート、センサを包含し、該センサに該挿入ポートに組み合わされる接合部が設けられてベースに位置決めされ、並びに接合端子を具えてベースの接続端子と電気的に接続され、センサがベースに対して抜き差し可能とされ、センサがベースに固定されている時、感応信号を出力する時、ベースの信号出力端を通して駆動信号を出力して作動装置を駆動し、センサがベースに対して抜き差し交換可能な機能を得たことで、使用環境の必要により異なる規格のセンサを使用できる効果を達成する。【選択図】図３
0003115843.tif 000002
【実用新案登録請求の範囲】
【請求項１】
電源を具えると共に、複数の接続端子が内部に設けられた挿入ポートを具えたベース、  センサであって、該センサに接合部と接合端子が設けられ、該接合部が挿入ポートと相互に対応し組み合わされて抜き差し可能な構造とされ、並びに挿入後にベースに位置決めされて該接合端子とベースの接続端子が接続状態を形成し、センサとベースが電気的に接続され、並びにセンサが作動信号をベースに伝送する時、ベースの信号出力端を通して駆動信号が出力されて作動装置に反応させる、センサと、
を少なくとも包含する、外接式感応装置。
【請求項２】
請求項１記載の外接式感応装置において、接合部に更にセンサ末端を承接するソケットが設けられ、該ソケットと挿入ポートが螺合構造とされて、ソケットと挿入ポートの螺合により接合部が挿入ポートに位置決めされることを特徴とする、外接式感応装置。
【請求項３】
請求項１記載の外接式感応装置において、接合部に係止突起が設けられて挿入ポートに設けられた係止溝と組み合わされる係合構造が設けられ、係止突起と係止溝の係合により接合部が挿入ポートに位置決めされることを特徴とする、外接式感応装置。
【請求項４】
請求項１記載の外接式感応装置において、作動装置がベースに固定されたことを特徴とする、外接式感応装置。
【請求項５】
請求項１記載の外接式感応装置において、センサが、センシング反応を発生する少なくとも一つのセンシング部品を具えたことを特徴とする、外接式感応装置。
【請求項６】
請求項５記載の外接式感応装置において、センシング部品が、光センシング部品、音波センシング部品、振動センシング部品、無線電波センシング部品、赤外線センシング部品、温度センシング部品、二酸化炭素センシング部品、画像センシング部品、毒物センシング部品、相対湿度センシング部品、磁気センシング部品、圧力センシング部品を包含することを特徴とする、外接式感応装置。
【請求項７】
請求項５記載の外接式感応装置において、センサがセンシング部品のセンシング方向を調整するための転向関節を具えたことを特徴とする、外接式感応装置。
【請求項８】
請求項１記載の外接式感応装置において、作動装置が、照明装置、有線信号発生装置、無線信号発生装置、音声信号発生装置、画像信号発生装置、電磁記録装置、スイッチ装置、信号受信装置を包含することを特徴とする、外接式感応装置。
【考案の詳細な説明】
【技術分野】
【０００１】
本考案は感応装置に関係する組立構造とされ、それに設けられるセンサ設計は着脱自在で交換できる外接構造とされ、並びに感応装置の着脱の過程中に、関係する電気接続施工を免除できる外接式感応装置に関する。
【背景技術】
【０００２】
感応装置は自動制御の現代テクノロジー製品に属し、その用途は相当に広く、工業用、保全用として、更には一般生活において、感応装置が運用され、例えば工業上の自動化作業システムにおける運用、保全上の盗難防止システムの運用、及び生活上の自動ドア或いはセンサライトの運用等がある。
【０００３】
図１に示される周知の技術（一）は、よく目にされる感応装置であり、それはセンサ９１と作動装置８９２が配線９３で接続され、センサ９１が所定のセンシング反応を発生する時、作動装置９２を駆動して所定の動作を行わせる。例えば、センサ９１が光度低下を検出し、物体の接近或いは物体の移動がある時、作動装置９２に照明させ、或いは画像受信し、音声信号アラームを発生させる。
【０００４】
図２は周知の技術（二）を示し、感応装置の配線９３が露出しており、外観が悪い問題があり、並びに屋外で実施時に湿気、雨防止の問題を有している。このため近年普及している感応装置のほとんどは、ベース９４を有してセンサ９１と作動装置９２が固定され、ベース９４に配線が内蔵され、防湿、防雨の効果を有するものとされている。
【０００５】
しかし、図１或いは図２のいずれの技術も、その実施時に設置されるセンサ９１は、使用環境に合わせて異なる規格或いはセンシングモードのものに交換する必要がある時、分解組立が容易でなく、且つ配線９３を切断し新たに接続しなければならない。このため、往々にして全体の感応装置を新品に交換するか修理に送らねばならない。且つ産業上、モジュール化生産に不利であり、例えば異なる規格のセンサ９１とベース９４をそれぞれ量産後に、さらに複雑な組立と配線施工が必要であり、組立施工或いは在庫管理上のいずれにおいても相当に不便である。
【考案の開示】
【考案が解決しようとする課題】
【０００６】
以上を鑑み、本考案は周知の技術の問題を解決し、感応装置の生産をモジュール化でき、感応装置の生産率を高め、取り付けと修理の便利性を高めた一種の外接式感応装置を提供することを目的とする。
【課題を解決するための手段】
【０００７】
上述の目的を達成するための技術手段（一）は以下のとおりである。該外接式感応装置は、少なくとも、電源を具えると共に、複数の接続端子を具えた挿入ポートを具えたベース、該挿入ポートに組み合わされる接合部が設けられてベースに位置決めされ、並びに接合端子を具えてベースの接続端子と電気的に接続されるセンサを具え、センサがベースに対して抜き差し交換可能とされ、使用環境の必要により異なる規格のセンサを使用できる効果を達成する。
実施時には、ベース内に更に信号出力端と、該信号出力端と接続される一つ或いは複数の作動装置が設けられる。該信号出力端はセンサとされてセンシング反応発生時に駆動信号を出力し、上述の作動装置は駆動信号を受け取った後に作動する。
上述の目的を達成するための技術手段（二）は以下のとおりである。技術手段（一）から派生し、接合部に更にセンサ末端を承接するソケットが設けられ、該ソケットと挿入ポートは螺合構造とされ、ソケットと挿入ポートの螺合により接合部が挿入ポートに位置決めされる。
上述の目的を達成するための技術手段（三）は以下のとおりである。技術手段（一）から派生し、作動装置がベースに固定される。
上述の目的を達成するための技術手段（四）は以下のとおりである。技術手段（一）から派生し、接合部に係止突起が設けられ、挿入ポートに設けられた係止溝と係合される係合構造が設けられ、その係合により接合部が挿入ポートに位置決めされる。
上述の目的を達成するための技術手段（五）は以下のとおりである。技術手段（一）から派生し、センサに少なくとも一つの、センシング反応を発生するセンシング部品が設けられる。
上述の目的を達成するための技術手段（六）は以下のとおりである。技術手段（五）から派生し、センシング部品は、光センシング部品、音波センシング部品、振動センシング部品、無線電波センシング部品、赤外線センシング部品、温度センシング部品、二酸化炭素センシング部品、画像センシング部品、毒物センシング部品、相対湿度センシング部品、磁気センシング部品、圧力センシング部品を包含する。
上述の目的を達成するための技術手段（七）は以下のとおりである。技術手段（五）から派生し、センシング部品はセンシング部品のセンシング方向を調整するための転向関節を具えている。
上述の目的を達成するための技術手段（八）は以下のとおりである。技術手段（一）から派生し、作動装置は、照明装置、有線信号発生装置、無線信号発生装置、音声信号発生装置、画像信号発生装置、電磁記録装置、スイッチ装置、信号受信装置を包含する。
【考案の効果】
【０００８】
前述の技術手段の実施により、外接式感応装置がモジュール化生産の構造を具え、並びに外接式感応装置が速やかな組立と単独交換の特性を具備し、これにより異なる使用の場合の要求に対応できる。
【考案を実施するための最良の形態】
【０００９】
図３は本考案の外接式感応装置の実施例（一）の分解図である。該外接式感応装置は少なくともベース１０、センサ２０、信号出力端３０及び一つ或いは複数の作動装置４０を包含する。
【００１０】
ベース１０は電源１１に接続され、該電源１１は外接電源（図示される）とされうるか、内蔵蓄電体（図示せず）として実施されうる。外接電源は内蔵蓄電体に充電の行える方式で実施されうる。該ベース１０に少なくとも一つの挿入ポート１２が設けられ、並びに挿入ポート１２内に接続端子１３が設けられている。
【００１１】
センサ２０に接合部２１が設けられてベース１０に設けられた挿入ポート１２と組み合わされ、接合部２１に接続端子１３と対応する数量の接合端子２２が設けられ、センサ２０内に少なくとも一つの、センシング反応を発生するためのセンシング部品２３が設けられ、該センシング部品２３の実施は光センシング部品、音波センシング部品、振動センシング部品、無線電波センシング部品、赤外線センシング部品、温度センシング部品、二酸化炭素センシング部品、画像センシング部品、毒物センシング部品、相対湿度センシング部品、磁気センシング部品、圧力センシング部品、或いはその他の環境変化パラメータを具えたセンシング部品として実施可能である。
【００１２】
該信号出力端３０はベース１０内に設けられ、駆動信号を発生し、作動装置４０と信号出力端３０が接続され、駆動信号を受け取った後に作動する。該作動装置４０の実施は照明装置、有線信号発生装置、無線信号発生装置、音声信号発生装置、画像信号発生装置、電磁記録装置、スイッチ装置、信号受信装置、アラーム装置、切り換え装置等とされるか、或いは、その他の特定効果を発生できる装置とされる。実施時に、作動装置４０はベース１０或いはベース１０以外の適所に設置できる。
【００１３】
本考案の外接式感応装置の実施例（一）に記載のベース１０、センサ２０、信号出力端３０及び作動装置４０の組合せ後の立体外観図は図４のようである。
【００１４】
図３及び図５も参照されたい。そのうち図５は本考案の外接式感応装置の実施例（一）の組合せ後の局部断面図であり、接合部２１はベース１０に設けられた挿入ポート１２と組み合わされて位置決めされ、そのうち接合部２１にセンサ末端に嵌合されるソケット２１１が設けられ、該ソケット２１１は挿入ポート１２と螺合する構造とされ、ソケット２１１と挿入ポート１２の螺合により接合部２１が挿入ポート１２に位置決めされる。当然、ソケット２１１と挿入ポート１２はまた相互に対応する係合構造（後述する）とされ得て、センサ２０のベース１０に対する抜き差しに便利とされうる。
【００１５】
センサ２０のベース１０における位置決めの完成時に、該センサ２０の具備する接合端子２２はその対応する接続端子１３と接続され、センサ２０とベース１０の間の電気的接続が完成する。これにより、センサ２０がセンシング反応を発生する時、ベース１０内に設けられた信号出力端３０がセンサ２０の発生したセンシング反応を受けて駆動信号を出力し、作動装置４０を駆動し反応させる。
【００１６】
以上の構成により、外接式感応装置がモジュール化生産の構造を具備し、並びに外接式感応装置のセンサが快速組立と単独交換の特性を具備する。
【００１７】
図６は本考案の外接式感応装置の実施例（二）を示し、この実施例中、接合部２１に係止突起２１２が設けられ、挿入ポート１２に設けられた係止溝１２１と組み合わされる係合構造が設けられ、係止突起２１２と係止溝１２１の係合により接合部２１が挿入ポート１２に位置決めされ、センサ２０とベース１０の組立分解が更に便利とされる。
【００１８】
図７は本考案の外接式感応装置の実施例（三）を示し、この実施例中、センサ２０に転向関節２４が設けられ、センサ２０はセンシング部品２３のセンシング方向の調整機能を具備するものとされる。また、転向関節２４は一般的な枢軸式関節とされるほか、蛇腹状のフレキシブル関節として実施可能である。
【００１９】
図８は本考案の外接式感応装置の実施例（四）を示し、この実施例中、ベース１０にセンサ２０が設置されると共に、複数の作動装置４０に対応させられている。例えばベース１０に同時に複数の照明装置が設置されて複数の異なる角度に対して照射を行う。
【００２０】
或いはベース１０に複数種類の異なる性質の作動装置４０、例えば、ベース１０に、正面装置、録画装置、無線信号発生装置等複数種類の異なる作動効果を具えた作動装置４０が設けられ、照明、録画或いは遠方装置起動に用いられる。
【００２１】
ただし、以上の実施例の説明及び図面は本考案の好ましい実施例に関するものであって、本考案の実施範囲を限定するものではなく、本考案に基づきなしうる細部の修飾或いは改変は、いずれも本考案の請求範囲に属するものとする。
【図面の簡単な説明】
【００２２】
【図１】周知の技術（一）の表示図である。
【図２】周知の技術（二）の表示図である。
【図３】本考案の外接式感応装置の実施例（一）の分解図である。
【図４】本考案の外接式感応装置の実施例（一）の立体組合せ図である。
【図５】本考案の外接式感応装置の実施例（一）の組合せ後の局部断面図である。
【図６】本考案の外接式感応装置の実施例（二）の表示図である。
【図７】本考案の外接式感応装置の実施例（三）の表示図である。
【図８】本考案の外接式感応装置の実施例（四）の表示図である。
【符号の説明】
【００２３】
１０  ベース
１１  電源
１２  挿入ポート
１３  接続端子
１２１  係止溝
２０  センサ
２１  接合部
２１１  ソケット
２１２  係止突起
２２  接合端子
２３  センシング部品
２４  転向関節
３０  信号出力端
４０  作動装置
９１  センサ
９２  作動装置
９３  配線
９４  ベース
【図１】
0003115843.tif 000003
【図２】
0003115843.tif 000004
【図３】
0003115843.tif 000005
【図４】
0003115843.tif 000006
【図５】
0003115843.tif 000007
【図６】
0003115843.tif 000008
【図７】
0003115843.tif 000009
【図８】
0003115843.tif 000010